(57)【要約】      （修正有）【課題】ジャケットを羽織っても、又、車のシートベルトの装着にも支障を来たすことがない、携帯無線、誘導棒等の用具を収納し携帯するためのブラケットを提供する。【解決手段】立ち壁１１を介してフック壁１０が取り付けられた本体壁１２と、立ち壁１１の本体壁１２の端部に設けられた折り曲げ可能なヒンジ壁１３と、ヒンジ壁１３と本体壁１４とが結合された他端と折り曲げ可能なヒンジ壁１６と、ヒンジ壁１６とベルトクリップ引っ掛け壁１９を有する本体壁１７とが結合された本体壁１７とにより該ブラケットを構成する。さらに、本体壁１４には、バンドを通す貫通穴１５を設けるか、又は本体壁１７とベルトクリップ引っ掛け壁１９には、結合する立ち壁２７部分にバンドを通す挿入孔を設けても良い。【選択図】図４
0003158878.tif 000002
【実用新案登録請求の範囲】
【請求項１】
立ち壁（１１）を介してフック壁（１０）が取り付けられた第１の本体壁（１２）と、
第１の本体壁（１２）の端部に設けられる折り曲げ可能な第１のヒンジ壁（１３）と、
第１のヒンジ壁（１３）に結合される第２の本体壁（１４）と、
第２の本体壁（１４）における第１のヒンジ壁（１３）の他端に設けられる折り曲げ可能な第２のヒンジ壁（１６）と、
第２のヒンジ壁（１６）に結合されるベルトクリップ引っ掛け壁（１９）を有する第３の本体壁（１７）と、
からなるブラケット。
【請求項２】
第２の本体壁（１４）には、バンドを通す貫通穴（１５）を設けた請求項１記載のブラケット。
【請求項３】
第３の本体壁（１７）に対してベルトクリップ引っ掛け壁（１９）を支持する立ち壁（２７）には、バンドを通す挿入孔（２０）が設けられている請求項１又は２記載のブラケット。
【考案の詳細な説明】
【技術分野】
【０００１】本考案は、携帯無線機・トランシーバー・ペンライト・誘導棒・携帯傘の用具を、腰ベルトまたは肩章に取り付けるためのブラケットに関するものである。
【背景技術】
【０００２】携帯無線機・トランシーバー・誘導棒・ペンライトの各用具に腰ベルトに取り付けられるベルトクリップが設けられており、前記ベルトクリップを、腰ベルトに通して直接用具を固定していた。腰ベルトに前記ベルトクリップを直接通す事で、腰の高さに用具が収まっていた。（例えば、特許文献１参照。）  （例えば、特許文献２参照。）
または携帯無線機・トランシーバー・ペンライトは肩章に前記ベルトクリップを直接通す事で、肩の高い位置に用具を固定していた。
【特許文献１】特開特開平５−５５９４５  （段落０００７  第２図（ｂ））
【特許文献２】特開平１０−１７８２７９  （第３図）
【考案の概要】
【考案が解決しようとする課題】
【０００３】しかしながら従来の問題点は、携帯無線機・トランシーバー・ペンライトを腰ベルトに取り付けた状態でジャケットを羽織ると、携帯無線機・トランシーバー・ペンライト・誘導棒が隠れてしまい、操作がしづらく、また取出しにくかった。
また、携帯無線機などの用具を直接腰ベルトに取り付けた状態で、車両の椅子に座った時にシートベルトのバックル部に携帯無線機などの用具があり、シートベルトを装着しにくかった。
また、体と椅子に用具が挟まり、隙間が発生し座りづらく、不快感も有り、座った時にベルトクリップが腰ベルトから用具が外れてしまう事もあった。【０００４】また、肩章に用具を直接取り付けた場合に、腕を目いっぱい曲げて操作をする必要があり、操作がしづらかった。
また携帯無線機・トランシーバーを肩章に装着した際は、用具と口元や耳元から距離が発生する事に依り、送受信感度の低下を招く事が有った。
また、首をかしげて操作するので操作しづらかった。【０００５】誘導棒は長さの長い部品で有り、従来の様に腰ベルトに誘導棒のブラケットを装着し、腰の高さのブラケットに抜き差ししようとすると、誘導棒を握る手の位置がちょうど顔の位置に来るために挿入しづらかった。
またジャケットを羽織った時には従来のブラケットは、ジャケットの下に隠れてしまい、ジャケットをまくり上げないと誘導棒を抜き差し出来なかった。【０００６】また、携帯傘を腰ベルトに保持する機能を共有できるブラケットは無かった。
【課題を解決するための手段】
【０００７】本考案は、このような従来の問題を解決しようとするもので、ブラケットを使用する事で、ジャケットを羽織っても用具の操作が容易で、取出しも可能なブラケットを提供する事を目的とする。
また、ブラケットが折れ曲がる事で、車両の椅子に座った時に用具に掛かる負荷が吸収されて、腰ベルトから用具が外れる事を防止する事を提供できる。【０００８】本考案は立ち壁（１１）を介してフック壁が取り付けられた本体壁（１２）と、立ち壁（１１）の本体壁（１２）の端部に設けられた折り曲げ可能なヒンジ壁（１３）と、ヒンジ壁（１３）と本体壁（１４）とが結合された他端と折り曲げ可能なヒンジ壁（１６）と、ヒンジ壁（１６）とベルトクリップ引っ掛け壁を有する本体壁（１７）とが結合された本体壁（１７）ととからなるブラケット。
また、本考案は本体壁（１４）には、バンドを通す貫通穴を設けた請求項１記載のブラケット。
また、本考案は本体壁（１７）とベルトクリップ引っ掛け壁には、結合する立ち壁（２７）にバンドを通す挿入孔（２０）を設けた請求項１又は２記載のブラケット。
【考案の効果】
【０００９】本考案によれば、ジャケットを羽織っても、携帯無線機・トランシーバー・ペンライト・誘導棒がジャケットの表に出ているので、操作が容易で、また取出しやすくなった。
また、車両の椅子に座った時にシートベルトのバックル部の下に携帯無線機などの用具が位置する事になり、シートベルトを装着しやすくなった。
また、車両の椅子に座り易くなり、用具のはずれもなくなった。【００１０】また、肩章に用具を直接取り付けた場合に、腕を目いっぱい曲げなくても操作をする事が容易となり、操作がしやすくなった。
また肩章に携帯無線機・トランシーバーを装着した際は、用具と口元や耳元からの距離を近づける事により、送受信感度を上げる事が可能となった。
また、首をかしげる事なく操作がしやすくなった。【００１１】誘導棒は本発明のブラケットを使用する事で腰の高さより下げる事に依り、ブラケットへの抜き差しが容易となった。
またジャケットを羽織っても、ジャケットの下に位置されるようになり、ジャケットをまくり上げなくても、誘導棒を抜き差し出来るようになった。【００１２】また、携帯傘を腰ベルトに保持する機能を共有できるブラケットにした。
【図面の簡単な説明】
【００１３】
【図１】従来の携帯無線機・トランシーバーのベルトクリップを腰ベルトに装着しジャケットを羽織った図面を示す。
【図２】本考案の一実施例を示す図面である。
【図３】本考案のブラケットを背面から見た図面である。
【図４】本考案のブラケット正面から見た図面である。
【図５】本考案のブラケットが折れ曲がっている状態と、ブラケットにベルトを通した図面である。
【図６】本考案のブラケットが折り曲げて携帯無線機またはトランシーバーを装着した図面である。
【図７】本考案のブラケットにペンライトホルダーとペンライトが装着される図面である。
【図８】本考案のブラケットにバンドを挿入する図面である。
【図９】本考案のブラケットにバンドが巻かれ、誘導棒が挿入された図面である。
【図１０】本考案のブラケットを肩章に装着した図面である。
【図１１】本考案のブラケットを肩章に装着し、携帯無線機またはトランシーバーをブラケットに装着し、ブラケットを折り曲げた図面である。
【考案を実施するための形態】
【００１４】本考案のブラケットは、図２に示されるように、腰ベルトＶにブラケット１を装着し、ブラケット１に携帯無線機Ｍを取付けた図である。ブラケット１を使用する事で、ジャケットＪを着用しても携帯無線機ＭがジャケットＪに覆われる事なく下側に位置する事で、取り扱いが容易となる事ができる。
【００１５】本考案のブラケット１は、図３に示されるように、本体壁１２と本体壁１４と本体壁１７とから構成されており、本体壁１２と本体壁１４はヒンジ壁１３を介して結合されおり、本体壁１４と本体壁１７はヒンジ壁１６を介して結合されている。
【００１６】本体壁１２は、肉厚壁２２ａにて形成されており、本体壁１２は立ち壁１１を介してフック壁１０と結合されている。フック壁１０は図５に示した腰ベルトＶまたは図１０に示した肩章Ｋにベルト孔２８を通して装着する時に、力を加えて正面もしくは背面方向にたわます事で広げたり縮められたりする事が出来る。
【００１７】本体壁１４は、肉厚壁２２ｂにて形成されており、本体壁１２からヒンジ壁１３を介して結合されている。本体壁１４はキーホルダーを引っ掛ける、もしくはバンドを通す為の貫通穴１５を２穴有する平面であり、更にヒンジ壁１６を介し本体壁１７へ結合される。
【００１８】本体壁１７は、肉厚壁２２ｃにて形成されており、本体壁１４からヒンジ壁１６を介して結合されている。本体壁１７はベルトクリップ引っ掛け壁１９を有する面で有り、ベルトクリップ引っ掛け壁１９は立ち壁２７を介して本体壁１７と結合されている。
立ち壁２７にはベルトを通すためのベルト挿入孔２０Ｌ及び２０Ｒを有しており、ベルトクリップ引っ掛け壁１９にはベルトクリップの挿入性を良くする為に面取り壁２９が設けられており、ベルトクリップの脱落防止のためのリブ壁１８を有する。また、ベルトクリップはベルトクリップ挿入孔２１から挿入し、ベルトクリップ引っ掛け壁１９で固定する。
【００１９】本考案のブラケット１は、図４に示されるように、本体壁１２と本体壁１４と本体壁１７とから構成されており、本体壁１２と本体壁１４はヒンジ壁１３を介して結合されおり、本体壁１４と本体壁１７はヒンジ壁１６を介して結合されている。
【００２０】本体壁１２は、肉厚壁２２ａにて形成されており、本体壁１２は立ち壁１１を介してフック壁１０と結合されている。フック壁１０は図５に示した腰ベルトＶまたは図１０に示した肩章Ｋにベルト孔２８を通して装着する時に、フック壁１０並びにリブ壁２３の強度により、力を加えて正面もしくは背面方向にたわます事で広げたり縮められたりする事が出来る。
【００２１】本体壁１４は、肉厚壁２２ｂにて形成されており、本体壁１２からヒンジ壁１３を介して結合されている。本体壁１４はキーホルダーを引っ掛けるもしくは、バンドを通す為の貫通穴１５を２穴有する平面であり、更にヒンジ壁１６を介し本体壁１７へ結合される。
【００２２】本体壁１７は、肉厚壁２２ｃにて形成されており、本体壁１４からヒンジ壁１６を介して結合されている。本体壁１７はベルトクリップ引っ掛け壁１９を有する面で有り、ベルトクリップ引っ掛け壁１９は立ち壁２７を介して本体壁１７と結合されている。
立ち壁２７にはベルトを通すためのベルト挿入孔２０Ｌ及び２０Ｒを有しており、ベルトクリップはベルトクリップ挿入孔２１から挿入し、ベルトクリップ引っ掛け壁１９で固定する。
挿入したベルトクリップが大きかった場合には、干渉防止の為にのぞき孔２６が開けられている。
【００２３】本考案のブラケット１は、図５に示されるように、腰ベルトＶをベルト穴２８に通した図である。そして、ヒンジ壁１３が谷折りに折れ曲がっており、ヒンジ壁１６が山折りに折れ曲がり、本考案のブラケット１全体の作動を示した図である。
また、ヒンジ壁１３は山折りに折れ曲がり、ヒンジ壁１６が谷折りに折れ曲がる事も出来る。
【００２４】本考案のブラケット１は、図６に示されるように、ブラケット１のヒンジ壁１３が谷折りに折れ曲がり、ヒンジ壁１６が山折りに折れ曲がり、ベルトクリップ挿入孔２１から、携帯無線機Ｍに取り付けられたベルトクリップＭ１を挿入し、取り付けた図である。
【００２５】本考案のブラケット１は図７に示されるように、ブラケット１に有るベルトクリップ挿入孔２１に、ペンライトＰが取り付けられたペンライトホルダーＨが有するペンライトホルダーアンダー部Ｈ１を挿入する図である。
【００２６】本考案のブラケット１は図８に示されるように、ブラケット１に有るベルト挿入孔２０ＬからバンドＢの肉厚壁Ｂ１を挿入し、肉厚壁Ｂ２をブラケット１にあるベルト挿入孔２０Ｒから挿入する説明図である。
図９に示されるようにバンドＢが巻かれて輪大Ｂ５、輪小Ｂ６が形成されているのは、図８に示されるバンドＢが有する爪Ｂ３が爪挿入孔Ｂ４に挿入され、固定されているからである。バンドＢにＢ４が多数設けられているのは、輪大Ｂ５、輪小Ｂ６の大きさを調整するためのものである。
【００２７】本考案のブラケット１は図９に示されるように、ブラケット１にバンドＢが巻かれ、作られた輪大Ｂ５から誘導棒Ｕを挿入し、輪小Ｂ６に引っ掛かって誘導棒が保持されている図である。
【００２８】本考案のブラケット１は図１０に示されるように、ブラケット１には携帯無線機Ｍが装着されており、携帯無線機Ｍが装着されたブラケット１を、肩章Ｋを有する作業着またはジャケットの肩章Ｋにブラケット１のフック壁１０を挿入した図である。
【００２９】図１０で、ブラケット１のヒンジ壁１３とヒンジ壁１６が折れ曲がった図が図１１である。ヒンジ壁１３を谷折りに、ヒンジ壁１６を山折りに折り曲げる事で、ブラケット１に装着された携帯無線機Ｍが口元と耳元に近付ける事が出来る説明図である。
【産業上の利用可能性】
【００３０】本考案は、携帯無線機・トランシーバー・ペンライト・誘導棒・携帯傘の用具を、腰ベルトまたは肩章に取り付けるためのブラケットに関するものである。
さらに、畜光材料を混ぜ合わせて本考案のブラケットを作る事で、夜間第三者からの視認性を上げる目的にも利用できるようになった。
また、携帯傘も本考案品のブラケットとバンドＢを用いる事で、腰ベルトに装着する事が可能となり、ハンズフリーが可能となった。
さらに、ブラケットにバンドＢを通す事で、誘導棒ホルダーや携帯傘ホルダーとしても利用できるようになった。
さらに、ペンライトホルダーを本考案のブラケットに装着する事で、歩行先を手ぶらで照らす事が可能になった。
【符号の説明】１‥‥‥ブラケット
１０‥‥‥フック壁
１１‥‥‥立ち壁
１２‥‥‥本体壁
１３‥‥‥ヒンジ壁
１４‥‥‥本体壁
１５‥‥‥貫通穴
１６‥‥‥ヒンジ壁
１７‥‥‥本体壁
１８‥‥‥リブ壁
１９‥‥‥ベルトクリップ引っ掛け壁
２０‥‥‥ベルト挿入孔
２１‥‥‥ベルトクリップ挿入孔
２２ａ‥‥‥肉厚壁
２２ｂ‥‥‥肉厚壁
２２ｃ‥‥‥肉厚壁
２３‥‥‥リブ壁
２４‥‥‥立ち壁
２５‥‥‥アンダーカット壁
２６‥‥‥のぞき孔
２７‥‥‥立ち壁
２８‥‥‥ベルト穴
２９‥‥‥面取り壁
Ｖ‥‥‥腰ベルト
Ｍ‥‥‥携帯無線機
Ｍ１‥‥‥ベルトクリップ
Ｐ‥‥‥ペンライト
Ｈ‥‥‥ペンライトホルダー
Ｈ１‥‥‥ペンライトホルダーアンダー部
Ｂ‥‥‥バンド
Ｂ１‥‥‥肉厚壁
Ｂ２‥‥‥肉厚壁
Ｂ３‥‥‥爪
Ｂ４‥‥‥爪挿入孔
Ｂ５‥‥‥輪大
Ｂ６‥‥‥輪小
Ｕ‥‥‥誘導棒
Ｊ‥‥‥ジャケット
Ｋ‥‥‥肩章
【図１】
0003158878.tif 000003
【図２】
0003158878.tif 000004
【図３】
0003158878.tif 000005
【図４】
0003158878.tif 000006
【図５】
0003158878.tif 000007
【図６】
0003158878.tif 000008
【図７】
0003158878.tif 000009
【図８】
0003158878.tif 000010
【図９】
0003158878.tif 000011
【図１０】
0003158878.tif 000012
【図１１】
0003158878.tif 000013